(57)【要約】【課題】高層ツインタワーにおいて、２棟の高層ビル間の地下を有効利用するとともに、その２棟の高層ビルの地下構造物との一体化により地下駐車場を合理的に施工する。【解決手段】２棟の高層ビル１を構築して構成される高層ツインタワーにおいて、２棟の高層ビル１の地下構造物２間に地下駐車場３（３１・３２）を一体化して構築する。この地下駐車場３は、２棟の高層ビル１の地下構造物２と一体の鉄筋コンクリートにより構成されていて、地下１階が自走式駐車場３１で、地下２階が機械式駐車場３２である。従って、高層ツインタワー間の地下を有効利用できるとともに、高層ツインタワーの地下構造物２と一括してその間に地下駐車場３を合理的に施工できる。【選択図】図１
2005226266.tif 000002
【特許請求の範囲】
【請求項１】
２棟の高層ビルを構築して構成される高層ツインタワーにおいて、
前記２棟の高層ビルの地下構造物間に地下駐車場を一体化して構築したことを特徴とする高層ツインタワーの地下駐車場。
【請求項２】
前記地下駐車場は前記２棟の高層ビルの地下構造物と一体の鉄筋コンクリートにより構成されていることを特徴とする請求項１に記載の高層ツインタワーの地下駐車場。
【請求項３】
前記２棟の高層ビルの周辺部にも地下駐車場が、各々の高層ビルの地下構造部と一体化してそれぞれ構築されていることを特徴とする請求項１または２に記載の高層ツインタワーの地下駐車場。
【請求項４】
前記地下駐車場は、地下１階が自走式駐車場で、地下２階が機械式駐車場であることを特徴とする請求項１から３のいずれか一項に記載の高層ツインタワーの地下駐車場。
【請求項５】
前記２棟の高層ビルは居住ビルであることを特徴とする請求項１から４のいずれか一項に記載の高層ツインタワーの地下駐車場。
【発明の詳細な説明】
【技術分野】
【０００１】
本発明は、高層ツインタワーの間の地下を利用した駐車場に関する。
【背景技術】
【０００２】
商業ビル、オフィスビル及び居住ビルを含む高層ビル群からなる市街地ブロックにおいて、その２辺に地下駐車場を設けたプランがある。その地下駐車場は、商業ビルとオフィスビルの間と、商業ビルと居住ビルとの間に、それぞれ独立の地下構造物として構築されるものである（例えば特許文献１参照）。
【特許文献１】特開２０００−３８８５２号公報（段落００１５、図１、図４）
【発明の開示】
【発明が解決しようとする課題】
【０００３】
従来、高層ビル間の地下駐車場は、高層ビルとは別個の基礎工事を行ってから地下構造物として構築されており、すなわち、高層ビルとは別工事による施工となっていた。
【０００４】
本発明の課題は、高層ツインタワーにおいて、２棟の高層ビル間の地下を有効利用するとともに、その２棟の高層ビルの地下構造物との一体化により地下駐車場を合理的に施工することである。
【課題を解決するための手段】
【０００５】
以上の課題を解決するため、請求項１に記載の発明は、例えば図１から図３に示すように、２棟の高層ビル１を構築して構成される高層ツインタワーにおいて、前記２棟の高層ビル１の地下構造物２間に地下駐車場３（３１・３２）を一体化して構築したことを特徴とする。
【０００６】
このように、２棟の高層ビルの地下構造物間に地下駐車場を一体化して構築することで、高層ツインタワー間の地下を有効利用できるとともに、高層ツインタワーの地下構造物と一括してその間に地下駐車場を合理的に施工できる。
【０００７】
請求項２に記載の発明は、請求項１に記載の高層ツインタワーの地下駐車場であって、例えば図１に示すように、前記地下駐車場３は前記２棟の高層ビル１の地下構造物２と一体の鉄筋コンクリートにより構成されていることを特徴とする。
【０００８】
請求項３に記載の発明は、請求項１または２に記載の高層ツインタワーの地下駐車場であって、例えば図２及び図３に示すように、前記２棟の高層ビル１の周辺部にも地下駐車場４が、各々の高層ビル１の地下構造部２と一体化してそれぞれ構築されていることを特徴とする。
【０００９】
請求項４に記載の発明は、請求項１から３のいずれか一項に記載の高層ツインタワーの地下駐車場であって、例えば図１から図３に示すように、前記地下駐車場３・４は、地下１階が自走式駐車場３１・４１で、地下２階が機械式駐車場３２・４２であることを特徴とする。
【００１０】
請求項５に記載の発明は、請求項１から４のいずれか一項に記載の高層ツインタワーの地下駐車場であって、例えば図１に示すように、前記２棟の高層ビル１は居住ビルであることを特徴とする。
【発明の効果】
【００１１】
本発明によれば、高層ツインタワー間の地下を有効利用できるとともに、高層ツインタワーの地下構造物と一括してその間に地下駐車場を合理的に施工できる。
【発明を実施するための最良の形態】
【００１２】
以下、図を参照して本発明を実施するための最良の形態を詳細に説明する。
図１に示すように、本発明を適用した一実施形態の高層ツインタワーはその間の地下スペースに、２棟の高層ビル１の地下構造物２と一体化した鉄筋コンクリートにより地下駐車場３が構築されている。この地下駐車場３は、図２及び図３に示すように、２棟の高層ビル１の周辺部にそれぞれ構築された地下駐車場４と一体で連続している。
【００１３】
具体的には、２棟の高層ビル１は何れも６０階建ての居住ビルであり、その地下駐車場３・４において、図２にも示したように、地下２階に機械式駐車場３２・４２が設けられていて、図３にも示したように、地下１階に自走式駐車場３１・４１が設けられている。
そして、図１に示したように、地下２階の機械式駐車場３２・４２は３段式のもので、この機械式駐車場３２・４２には、図３に示したように、地下１階の自走式駐車場３１・４１から入出庫口４３において入庫・出庫可能となっている。この自走式駐車場３１・４１には、図４に示したように、地上から設けられた取付道路５により入庫・出庫可能となっている。
【００１４】
以上のとおり実施形態の高層ツインタワーは、特に、その２棟の高層ビル１の地下構造物２間の地下スペースに、地下構造物２と一体化した鉄筋コンクリートにより地下１階の自走式駐車場３１及び地下２階の機械式駐車場３２からなる地下駐車場３を構築したものとなっている。
従って、高層ツインタワー間の地下スペースを地下駐車場３として有効に利用することができる。
さらに、高層ツインタワーの地下構造物２と一括してその間に地下駐車場３を合理的に施工できるといった施工上の利点も得られる。
【００１５】
そして、このような高層ツインタワー間の地下構造物２と一体化した地下駐車場３に加えて、２棟の高層ビル１の周辺部にも、その地下構造物２及び地下駐車場３と一体化した鉄筋コンクリートによりそれぞれ地下１階の自走式駐車場４１及び地下２階の機械式駐車場４２からなる地下駐車場４が連続したものとなっている。
従って、このように高層ツインタワーの地下構造物２間の地下駐車場３と高層ツインタワー周辺部の地下駐車場４とを大規模に一括して施工できるといった施工上の利点が得られる。
【００１６】
なお、以上の実施形態においては、高層ビルとして居住ビルとしたが、本発明はこれに限定されるものではなく、商業ビルやオフィスビルであっても良い。
また、実施形態では、地下駐車場３・４において、地下１階を自走式駐車場３１、地下２階を機械式駐車場３２としたが、地下１・２階とも自走式駐車場にしても良く。
さらに、必要に応じ地下２階より下を地下駐車場にしても良く、その他、具体的な細部構造等についても適宜に変更可能であることは勿論である。
【図面の簡単な説明】
【００１７】
【図１】本発明を適用した一実施形態の構成を示すもので、高層ツインタワーの地下構造物を含んだ縦断正面図である。
【図２】図１の高層ツインタワーの地下２階部分を示した平面図である。
【図３】図１の高層ツインタワーの地下１階部分を示した平面図である。
【図４】図１の高層ツインタワーの１階部分を示した平面図である。
【符号の説明】
【００１８】
１  高層ビル
２  地下構造物
３・４  地下駐車場
３１・４１  自走式駐車場
３２・４２  機械式駐車場
３３・４３  入出庫口
５  取付道路
【図１】
2005226266.tif 000003
【図２】
2005226266.tif 000004
【図３】
2005226266.tif 000005
【図４】
2005226266.tif 000006